(57)【特許請求の範囲】
【請求項１】
モバイル端末がサービングホーム基地局のカバレッジエリア内にあり、前記サービングホーム基地局の前記カバレッジエリアが、別のホーム基地局の前記カバレッジエリアと重複し始めるときに、前記ホーム基地局による前記モバイル端末へのサービングを継続可能にする方法であって、前記別のホーム基地局は、前記サービングホーム基地局と同じ物理セルＩＤを有するとともに前記サービングホーム基地局と同期されており、各ホーム基地局は、前記物理セル識別子を各自のカバレッジエリア内でブロードキャストし、
前記方法が、
−物理セルＩＤ検出を監視することによって前記カバレッジエリアが重複し始めると判断するステップ（Ｓ５０２）と、
−セル内で信号を転送する前記ホーム基地局のうちの少なくとも１つにより、所定の瞬間に適用すべき少なくとも１つのタイミングオフセットを決定するステップと、
−少なくともシステム情報の統制された送信を前記２つのホーム基地局が実行できるようにする情報を取得するステップ（Ｓ５０５，Ｓ５０６）であって、前記統制された送信は、前記サービングホーム基地局および前記他方のホーム基地局による、同じ無線リソースでの同じ情報の同時送信である、ステップと、
−前記モバイル端末が前記統制された送信を受信することができるようにする情報、並びに前記統制された送信で転送される前記少なくとも１つのタイミングオフセットおよび前記瞬間を前記モバイル端末に送信するステップ（Ｓ５０７）と、
−前記少なくとも１つのタイミングオフセットを前記瞬間に適用するステップ（Ｓ５０８）と、
を含むことを特徴とする、方法。
【請求項２】
前記サービングホーム基地局および前記他方のホーム基地局が、
前記モバイル端末が、前記統制された送信を受信し、カバレッジエリア内に位置される全ての他のモバイル端末に前記少なくとも１つのタイミングオフセットおよび前記瞬間を前記統制された送信で送信できるようにする情報を、
カバレッジエリア内に位置される全ての他のモバイル端末にさらに送信する
ことを特徴とする、請求項１に記載の方法。
【請求項３】
前記方法が、
−前記モバイル端末にサービングしている前記ホーム基地局により、メッセージを近傍のホーム基地局にブロードキャストするステップと、
−前記モバイル端末にサービングしている前記ホーム基地局により、前記近傍のホーム基地局のうちの少なくとも１つから、ブロードキャストされた前記メッセージに応答したメッセージを受信するステップと、
−前記モバイル端末にサービングしている前記ホーム基地局により、前記応答メッセージの送信元である１つまたは複数の基地局のそれぞれと同じ前記物理ＩＤを有する１つまたは複数の他のホーム基地局のそれぞれを識別するステップと、
をさらに含むことを特徴とする、請求項１または２に記載の方法。
【請求項４】
前記カバレッジエリアが重複し始めるとの判断が、少なくとも１つのモバイル端末によって転送される少なくとも１つのメッセージから実行され、
前記メッセージは、両方の物理セル識別子の受信から生じる衝突を検出することを前記モバイル端末が通知する
ことを特徴とする、請求項１〜３のいずれか一項に記載の方法。
【請求項５】
前記方法が、前記モバイル端末によって実行される、
−前記モバイル端末によって受信されるデータについて推定干渉レベルを計算するステップと、
−前記モバイル端末によって受信されるパイロットシンボルについて推定干渉レベルを計算するステップと、
−前記モバイル端末によって受信されるデータについて前記計算された推定干渉レベルおよび前記モバイル端末によって受信されるパイロットシンボルについて前記計算された推定干渉レベルから、前記衝突を検出するステップと、
をさらに含むことを特徴とする、請求項４に記載の方法。
【請求項６】
前記カバレッジエリアが重複し始めるとの判断が、前記モバイル端末にサービングしている前記ホーム基地局によって実行されることを特徴とする、請求項１〜５のいずれか一項に記載の方法。
【請求項７】
前記少なくとも１つのタイミングオフセットが、両方のホーム基地局によって決定されることを特徴とする、請求項６に記載の方法。
【請求項８】
１つのタイミングオフセットが、前記モバイル端末にサービングしている前記ホーム基地局によって決定されることを特徴とする、請求項１〜５のいずれか一項に記載の方法。
【請求項９】
前記カバレッジエリアが重複し始めるとの判断が、サーバによって実行されることを特徴とする、請求項１または２に記載の方法。
【請求項１０】
前記少なくとも１つのタイミングオフセットが、両方のホーム基地局を担当するサーバによって決定されることを特徴とする、請求項１、２、６、および９のいずれか一項に記載の方法。
【請求項１１】
前記方法が、前記サーバによって実行される、前記モバイル端末をサービングしているホーム基地局の前記物理セルＩＤと同じ物理セルＩＤを有する他のホーム基地局を識別するステップをさらに含むことを特徴とする、請求項９または１０に記載の方法。
【請求項１２】
前記方法が、前記モバイル端末によって実行される、前記瞬間に前記タイミングオフセットを適用するステップをさらに含むことを特徴とする、請求項１〜１１のいずれか一項に記載の方法。
【請求項１３】
モバイル端末がサービングホーム基地局のカバレッジエリア内にあり、前記サービングホーム基地局の前記カバレッジエリアが別のホーム基地局の前記カバレッジエリアと重複し始めるときに、前記ホーム基地局による前記モバイル端末へのサービングを継続できるようにするシステムであって、前記別のホーム基地局は、前記サービングホーム基地局と同じ物理セルＩＤを有するとともに前記サービングホーム基地局と同期されており、各ホーム基地局は、前記物理セル識別子を各自のカバレッジエリア内でブロードキャストし、
前記システムが、
−物理セルＩＤ検出を監視することによって前記カバレッジエリアが重複し始めると判断する手段と、
−セル内で信号を転送する前記ホーム基地局のうちの少なくとも１つにより、所定の瞬間に適用すべき少なくとも１つのタイミングオフセットを決定する手段と、
少なくともシステム情報の統制された送信を前記２つのホーム基地局が実行できるようにする情報を取得する手段であって、前記統制された送信は、前記サービングホーム基地局および前記他方のホーム基地局による、同じ無線リソースでの同じ情報の同時送信である、手段と、
−前記モバイル端末が前記統制された送信を受信することができるようにする情報、並びに前記統制された送信で転送される前記少なくとも１つのタイミングオフセットおよび前記瞬間を前記モバイル端末に送信する手段と、
−前記少なくとも１つのタイミングオフセットを前記瞬間に適用する手段と、
を備えることを特徴とする、システム。
【請求項１４】
プログラム可能装置に直接ロード可能であることができるコンピュータプログラムであって、前記コンピュータプログラムがプログラム可能装置で実行されるときに請求項１〜１２のいずれか一項に記載の方法のステップを実施する命令またはコードの部分を含む、コンピュータプログラム。
【発明の詳細な説明】
【技術分野】
【０００１】
本発明は、一般的には、モバイル端末がサービングホーム基地局のカバレッジエリア内にあり、別のホーム基地局の別のカバレッジエリアに入りつつあるときに、ホーム基地局によるモバイル端末へのサービングを継続可能にする方法およびシステムに関し、これらのホーム基地局は同じ物理セルＩＤを有しているとともに同期されている。
【背景技術】
【０００２】
無線セルラ通信ネットワークは広く展開されているが、無線セルラ通信ネットワークの基地局によってカバーされていないいくつかのエリアがまだある。
【０００３】
今日、解決策が提案されている。ホーム基地局またはフェムト基地局のような特定の基地局が、建物内またはバス、電車もしくはエレベータのような移動中の乗り物内でカバレッジエリアを提供する。
【０００４】
基地局またはホーム基地局の各無線セルには、付随する物理セルＩＤ(Physical Cell Identity)（ＰＣＩ）を有する。ＰＣＩは、無線近傍内のセルの識別に使用される。無線セルラ通信ネットワーク内の各無線セルを一意に識別するいくつかのグローバルセル識別子または一意の識別子とは対照的に、ＰＣＩは一意ではない。
【０００５】
例えば、３ＧＰＰ  ＬＴＥ（ロングタームエボリューション）規格では、３個のＩＤの１６８個のグループで構成される５０４個の異なる値がＰＣＩに利用可能である。
【０００６】
モバイル端末が基地局またはホーム基地局と通信できるようにするために、モバイル端末は対応する無線セルのＰＣＩを知らなければならない。ＰＣＩの知識は、同期フェーズ中に取得される。同期信号が、基地局またはホーム基地局によって一定の間隔でブロードキャストされる。
【０００７】
例えば、３ＧＰＰ  ＬＴＥでは、同期信号は、無線フレームごとに２回送信され、５ｍｓ毎に所与の数のそれぞれの副搬送波上に配置され、帯域幅の中心にある７２個の副搬送波を６個のリソースブロックが占有する。物理ブロードキャストチャネル(Physical Broadcast Channel)（ＰＢＣＨ）も１０ｍｓごとに送信される。ブロードキャストチャネル(Broadcast Channel)（ＢＣＨ）は、システム情報（ＳＩ）、より正確にはマスタ情報ブロック（ＭＩＢ）の一部を搬送する。
【０００８】
サービングセルのＰＣＩを知り、モバイル端末は、パイロット値、パイロット位置、ホッピングシーケンスのようなＰＣＩに依存する多くのシステムパラメータを特定することができる。例えば、３ＧＰＰ  ＬＴＥでは、ＵＬ  ＤＭ−ＲＳシーケンス（上りリンク復調基準信号(uplink demodulation reference signal)）ならびにグループホッピングパターンおよびＣＲＳ（共通ＲＳ(Common RS)）シーケンスは、ＰＣＩ値に依存し、ＣＲＳ位置はＰＣＩモジュロ６に依存する。
【０００９】
例えばマクロセルおよび多くのフェムトセルが共存する場合、同じＰＣＩを有するいくつかのセルがある確率が高い。静的環境では、近傍セルが同じＰＣＩを有することを回避するようにネットワーク計画が行われる。
【００１０】
移動するホーム基地局が存在する環境では、同じＰＣＩを有するセルが既に存在する近傍内に移動セル(itinerant cell)が入り得る。ＰＣＩ衝突は、例えば、モバイルホーム基地局と固定ホーム基地局との間またはモバイルホーム基地局と別のモバイルホーム基地局との間で生じるおそれがある。静的シナリオに考えられるアルゴリズムは、もはや適用することできない。
【００１１】
ＰＣＩ衝突は深刻な影響を生じさせるおそれがある。同じＰＣＩを有する２つのセルが同期される場合、例えば、３ＧＰＰ  ＬＴＥに関しては、パイロット衝突が生じるおそれがある。この場合、モバイル端末と各ホーム基地局との間のチャネルの重複からなる誤ったチャネルをモバイル端末が推定してしまう。これは、サービングホーム基地局とモバイル端末との間の通信リンクの損失を招くことがある。さらに、衝突が持続する場合、接続を失ったモバイル端末は、衝突中のいずれのホーム基地局へも再接続することができない。
【００１２】
実際、同期フェーズにおいて、接続を失ったモバイル端末は、前のサービングホーム基地局によってブロードキャストされる強い同期信号を検出し、ＰＣＩの値を取得することは可能であるが、衝突中のホーム基地局によって送信される衝突するシステム情報を復号化することは不可能である。
【００１３】
本発明では、システム情報は、無線セル内の全てのモバイル端末によって復号化可能な全ての共通情報であると理解される。例えば、ＬＴＥでは、システム情報は、物理ブロードキャストチャネル（ＰＢＣＨ(physical broad cast channel)）で送信されるＭＩＢ（マスタ情報ブロック(Master Information Block)）およびユニキャストチャネル（ＰＤＳＣＨ、物理下りリンク共有チャネル(Physical Downlink Shared Channel)）で送信されるシステム情報ブロック（ＳＩＢ(System Information Blocks)）で構成され、ユニキャストチャネルでの送信は、共通物理下りリンク制御チャネル（ＰＤＣＣＨ(physical downlink control channel)）を介してスケジュールされる。
【発明の概要】
【発明が解決しようとする課題】
【００１４】
本発明は、ＰＣＩ衝突の回避を可能にする解決策を提供することを目的とする。
【課題を解決するための手段】
【００１５】
そのために、本発明は、モバイル端末がサービングホーム基地局のカバレッジエリア内にあり、サービングホーム基地局のカバレッジエリアが別のホーム基地局のカバレッジエリアと重複し始めるときに、ホーム基地局によるモバイル端末へのサービングを継続可能にする方法であって、上記別のホーム基地局は、サービングホーム基地局と同じ物理セルＩＤを有するとともにサービングホーム基地局と同期されており、各ホーム基地局は、物理セル識別子を各自のカバレッジエリア内でブロードキャストし、
方法が、
−カバレッジエリアが重複し始めると判断するステップと、
−セル内で信号を転送するホーム基地局のうちの少なくとも１つにより、所定の瞬間に適用すべき少なくとも１つのタイミングオフセットを決定するステップと、
−少なくとも１つのタイミングオフセットおよび上記瞬間をモバイル端末に送信するステップと、
−少なくとも１つのタイミングオフセットを上記瞬間に適用するステップと、
を含むことを特徴とする、方法に関する。
【００１６】
本発明は、モバイル端末がサービングホーム基地局のカバレッジエリア内にあり、サービングホーム基地局のカバレッジエリアが別のホーム基地局のカバレッジエリアと重複し始めるときに、ホーム基地局によるモバイル端末へのサービングを継続可能にするシステムであって、上記別のホーム基地局は、サービングホーム基地局と同じ物理セルＩＤを有するとともにサービングホーム基地局と同期されており、各ホーム基地局は、物理セル識別子を各自のカバレッジエリア内でブロードキャストし、
システムが、
−カバレッジエリアが重複し始めると判断する手段と、
−セル内で信号を転送するホーム基地局のうちの少なくとも１つにより、所定の瞬間に適用すべき少なくとも１つのタイミングオフセットを決定する手段と、
−少なくとも１つのタイミングオフセットおよび瞬間をモバイル端末に送信する手段と、
−少なくとも１つのタイミングオフセットを上記瞬間に適用する手段と、
を備えることを特徴とする、システムにも関する。
【００１７】
したがって、ＰＣＩ衝突が回避され、無線ラインの差し押さえ(seizure)が回避される。
【００１８】
特定の特徴によれば、本方法は、少なくともシステム情報の統制された送信を２つのホーム基地局が実行できるようにする情報を取得するステップをさらに含み、
統制された送信は、サービングホーム基地局および他方のホーム基地局による、同じ無線リソースでの同じ情報の同時送信であり、
モバイル端末への情報の送信により、モバイル端末は統制された送信を受信することができ、
少なくとも１つのタイミングオフセットおよび瞬間が、統制された送信で転送される。
【００１９】
したがって、セル内のモバイル端末へのシステム情報の送信を続けるために、システム情報の統制された送信が可能である。
【００２０】
特定の特徴によれば、サービングホーム基地局および他方のホーム基地局は、
モバイル端末が、統制された送信を受信し、統制された送信で、カバレッジエリア内に位置される全ての他のモバイル端末に少なくとも１つのタイミングオフセットおよび瞬間を送信できるようにする情報を、
カバレッジエリア内に位置される全ての他のモバイル端末にさらに送信する。
【００２１】
したがって、セル内のモバイル端末へのシステム情報の送信を続けるために、システム情報の統制された送信が可能である。
【００２２】
特定の特徴によれば、モバイルにサービングしているホーム基地局は、
−メッセージを近傍のホーム基地局にブロードキャストし、
−近傍のホーム基地局のうちの少なくとも１つから、ブロードキャストされたメッセージに応答したメッセージを受信し、
−応答メッセージの送信元である１つまたは複数の基地局のそれぞれと同じ物理ＩＤを有する１つまたは複数の他のホーム基地局のそれぞれを識別する。
【００２３】
したがって、２つの衝突中の基地局は、別のネットワークエンティティの介入なしで互いを識別することができる。
【００２４】
特定の特徴によれば、カバレッジエリアが重複し始めるとの判断は、少なくとも１つのモバイル端末によって転送される少なくとも１つのメッセージから実行され、
メッセージは、両方の物理セル識別子の受信から生じる衝突をモバイル端末が検出することを通知する。
【００２５】
したがって、高速衝突検出は、モバイル端末の挙動に基づく。
【００２６】
特定の特徴によれば、モバイル端末は、
−モバイル端末によって受信されるデータについて推定干渉レベルを計算し、
−モバイル端末によって受信されるパイロットシンボルについて推定干渉レベルを計算し、
−モバイル端末によって受信されるデータについて計算された推定干渉レベルおよびモバイル端末によって受信されるパイロットシンボルについて計算された推定干渉レベルから、衝突を検出する。
【００２７】
したがって、モバイル端末は、衝突が発生しつつあることを特定することができる。
【００２８】
特定の特徴によれば、カバレッジエリアが重複し始めるとの判断は、モバイル端末にサービングしているホーム基地局によって実行される。
【００２９】
したがって、高速衝突検出を実行することができる。
【００３０】
例えば、衝突の複数の検出を考慮に入れることにより、ホーム基地局はＰＣＩ衝突の誤検出を回避することができる。
【００３１】
特定の特徴によれば、少なくとも１つのタイミングオフセットは、両方のホーム基地局によって決定される。
【００３２】
したがって、２つの衝突中の基地局は、別のネットワークエンティティの介入なしに、少なくとも１つのタイミングオフセットを素早く決定する。
【００３３】
特定の特徴によれば、１つのタイミングオフセットは、モバイル端末にサービングしているホーム基地局によって決定される。
【００３４】
したがって、基地局によってサービングされているモバイル端末との無線リンク損失が回避される。
【００３５】
特定の特徴によれば、カバレッジエリアが重複し始めるとの判断は、サーバによって実行される。
【００３６】
特定の特徴によれば、サーバは、モバイル端末にサービングしているホーム基地局の物理セルＩＤと同じ物理セルＩＤを有する他のホーム基地局を識別する。
【００３７】
したがって、サーバは、衝突についてホーム基地局に素早く通知することができる。
【００３８】
特定の特徴によれば、本方法は、モバイル端末によって実行される、上記瞬間にタイミングオフセットを適用するステップをさらに含む。
【００３９】
したがって、サービングホーム基地局との無線リンクは保存される。
【００４０】
さらに別の態様によれば、本発明は、プログラム可能装置に直接ロード可能であることができるコンピュータプログラムであって、上記コンピュータプログラムがプログラム可能装置で実行される場合、本発明による方法のステップを実施する命令またはコードの部分を含む、コンピュータプログラムに関する。
【００４１】
コンピュータプログラムに関連する特徴および利点は、本発明による方法に関連する上述した特徴および利点と同じであるため、ここで繰り返さない。
【００４２】
本発明の特徴は、実施形態例の以下の説明を読むことからより明らかになり、上記説明は添付図面を参照して行われる。
【図面の簡単な説明】
【００４３】
【図１】本発明が実施される無線セルラ通信ネットワークを表す。
【図２】本発明が実施されるホーム基地局のアーキテクチャを表す図である。
【図３】本発明が実施されるモバイル端末のアーキテクチャを表す図である。
【図４】本発明が実施されるサーバのアーキテクチャを表す図である。
【図５】本発明を実現する第１の形態による、ホーム基地局によって実行されるアルゴリズムの一例を開示する。
【図６】本発明を実現する第２の形態による、ホーム基地局によって実行されるアルゴリズムの一例を開示する。
【図７】本発明を実現する第３の形態による、ホーム基地局によって実行されるアルゴリズムの一例を開示する。
【図８】本発明を実現する第４の形態による、ホーム基地局によって実行されるアルゴリズムの一例を開示する。
【図９】本発明による、各ホーム基地局によって実行されるアルゴリズムの一例を開示する。
【図１０】本発明による、サーバによって実行されるアルゴリズムの一例を開示する。
【図１１】本発明を実現する第１および第２の形態による、モバイル端末によって実行されるアルゴリズムの一例を開示する。
【図１２】モバイル端末がホーム基地局によってサービングされ、ＰＣＩ衝突回避手順が進行中である場合の、本発明による、モバイル端末によって実行されるアルゴリズムの一例を開示する。
【図１３】モバイル端末がホーム基地局によってサービングされていない場合の、本発明による、モバイル端末によって実行されるアルゴリズムの一例を開始する。
【発明を実施するための形態】
【００４４】
図１は、本発明が実施される無線セルラ通信ネットワークを表す。
【００４５】
ホーム基地局が本発明を実施する一例において、本発明を説明する。
【００４６】
図１に、無線セルラ通信ネットワークの２つのホーム基地局ＨＢＳ１およびＨＢＳ２ならびに２つのモバイル端末ＭＴ１およびＭＴ２が示される。
【００４７】
２つのホーム基地局ＨＢＳ１およびＨＢＳ２ならびに２つのモバイル端末ＭＴ１およびＭＴ２のみが示されるが、より多数のホーム基地局ＨＢＳおよび／またはより多数のモバイル端末ＭＴが存在する場合にも、本発明を適用可能なことを理解することができる。
【００４８】
ホーム基地局ＨＢＳ１およびＨＢＳ２は、フェムト基地局又はピコ基地局又は中継器であってもよい。
【００４９】
ホーム基地局ＨＢＳ１は、例えば、電車、バス、またはエレベータのような、図１に示されていない移動中の乗り物に配置され、そのホーム基地局ＨＢＳ１を通して、移動中の乗り物内に配置されたモバイル端末ＭＴ１およびＭＴ２がリモート通信装置との通信を確立するかまたは通信を継続できるようにする。
【００５０】
ホーム基地局ＨＢＳ１は、エリアＣＥ１内に配置されたモバイル端末ＭＴによって転送される信号を受信することが可能である。ホーム基地局ＨＢＳ１は、エリアＣＥ１内に配置されたモバイル端末ＭＴによって受信されるとともに処理されることができる信号を転送する。エリアＣＥ１は、ホーム基地局ＨＢＳ１のカバレッジエリアである。
【００５１】
ホーム基地局ＨＢＳ２は、例えば、移動中の乗り物の経路を取り巻く建物内の所与の位置に配置し得る。ホーム基地局ＨＢＳ２は、ホーム基地局ＨＢＳ１が配置された移動中の乗り物とは別の移動中の乗り物に配置し得る。
【００５２】
ホーム基地局ＨＢＳ２は、エリアＣＥ２内に配置されたモバイル端末ＭＴによって転送される信号を受信することが可能である。ホーム基地局ＨＢＳ２は、エリアＣＥ２内に配置されたモバイル端末ＭＴによって受信されるとともに処理されることができる信号を転送する。エリアＣＥ２は、ホーム基地局ＨＢＳ２のカバレッジエリアである。
【００５３】
モバイル端末ＭＴ１およびＭＴ２は、ホーム基地局ＨＢＳ１によってサービングされる。
【００５４】
モバイル端末ＭＴがホーム基地局ＨＢＳによってサービングされるかまたはホーム基地局ＨＢＳに接続される場合、そのモバイル端末ＭＴは、ホーム基地局ＨＢＳを通して、メッセージを受信し、かつ／またはリモート通信装置との通信を確立することができる。したがって、モバイル端末は、同期フェーズ中、サービング局のＰＣＩの知識を既に取得している。
【００５５】
基地局またはホーム基地局はいくつかのセルを有し得る。明確にするために、本発明は各基地局または各ホーム基地局が単一のセルを有する場合で開示され、ＰＣＩは無線近傍内のホーム基地局を識別し、一意の識別子はネットワーク内のホーム基地局を一意に識別する。
【００５６】
ホーム基地局ＨＢＳ１およびＨＢＳ２は、同じ物理セルＩＤ(Physical Cell Identity)を有するとともに、同期される。
【００５７】
モバイル端末ＭＴ１およびＭＴ２は、ホーム基地局ＨＢＳ１と通信しながら、ホーム基地局ＨＢＳ１によって送信されるパイロットシンボルに基づいて下りリンクチャネルを推定する。
【００５８】
例えば、通常、ＬＴＥと呼ばれる３ＧＰＰロングタームエボリューションでは、ホーム基地局または基地局は、下りリンクチャネルで、すなわち、信号をモバイル端末に転送するチャネルで、例えば、セル固有の共通基準信号(cell-specific Common Reference Signals)（ＣＲＳ）を転送する。ＣＲＳは、モバイル端末ＭＴによりチャネル推定に使用される。ＣＲＳの位置はＰＣＩモジュロ６値に依存する。
【００５９】
例えば、通常、ＬＴＥ−Ａと呼ばれる３ＧＰＰロングタームエボリューションアドバンストでは、共通基準信号の他に、下りリンク復調基準信号(downlink demodulation reference signals)（ＤＭ−ＲＳ）も使用される。下りリンク復調基準信号は、データと同じ方法で予め符号化されるとともに、モバイル端末ＭＴ固有のデータ送信に使用される下りリンクチャネルをモバイル端末ＭＴが推定できるようにするモバイル端末ＭＴ固有のパイロットである。
【００６０】
推定されたチャネルは、モバイル端末ＭＴによって受信されるデータの復号化に使用される。データは、ユーザ固有のデータ、例えば、物理下りリンク共有チャネル(Physical Downlink Shared Channel)（ＰＤＳＣＨ）であってもよく、または制御データ、例えば、物理下りリンク制御チャネル(Physical Downlink Control Channel)（ＰＤＣＣＨ）であってもよい。
【００６１】
以下では、「パイロット」により、セル固有のパイロット（例えば、３ＧＰＰ  ＬＴＥでの共通基準信号）を示し、「データ」により、セル固有のパイロットに基づくチャネル推定を使用して復号化される制御および／またはデータを示す。
【００６２】
ＰＣＩ衝突が生じている場合、モバイル端末ＭＴ２は、データ部で増大しつつある推定干渉レベルを受け、一方、パイロット部での推定干渉レベルはあまり影響されない。
【００６３】
ホーム基地局ＨＢＳ１およびＨＢＳ２は、通信ネットワーク５０を通して一緒にリンクされてもよく、またはホーム基地局ＨＢＳ１もしくはＨＢＳ２を含むホーム基地局グループの動作を制御するサーバＳｅｒｖにリンクされてもよい。いくつかのシステムアーキテクチャでは、サーバＳｅｒｖは存在しないことがある。
【００６４】
通信ネットワーク５０は、ホーム基地局ＨＢＳ１の場合、無線ネットワークである。
【００６５】
通信ネットワーク５０は、ホーム基地局ＨＢＳ２の場合、ＤＳＬ（デジタル加入者回線）ネットワーク、ＩＳＤＮ（総合デジタル通信網）ネットワーク、または無線ネットワーク等であり得る。
【００６６】
本発明によれば、ＰＣＩ衝突が生じる場合、カバレッジエリア内で信号を転送するために、ホーム基地局のうちの少なくとも１つにより所定の瞬間に適用すべき少なくとも１つのタイミングオフセットが決定される。衝突に気付いたホーム基地局ＨＢＳ１またはＨＢＳ２のうちの任意の基地局に接続されたモバイル端末には、少なくとも１つのタイミングオフセットと、上記タイミングオフセットが適用される瞬間とが通知される。
【００６７】
図２は、本発明が実施されるホーム基地局のアーキテクチャを表す図である。
【００６８】
ホーム基地局ＨＢＳは、例えば、バス２０１によって互いに接続される構成要素と、図５、図６、図７、図８および図９において開示されるプログラムによって制御されるプロセッサ２００とに基づくアーキテクチャを有する。
【００６９】
バス２０１は、プロセッサ２００を、読み取り専用メモリＲＯＭ２０２、ランダムアクセスメモリＲＡＭ２０３、無線インタフェース２０５およびネットワークインタフェース２０６にリンクする。
【００７０】
メモリ２０３は、図５、図６、図７、図８および図９に開示されるアルゴリズムに関連するプログラムの命令および変数を受信することが意図されるレジスタを含む。
【００７１】
プロセッサ２００は、ネットワークインタフェース２０６の動作および無線インタフェース２０５の動作を制御する。
【００７２】
読み取り専用メモリ２０２は、図５、図６、図７、図８および図９に開示されるアルゴリズムに関連するプログラムの命令を含む。命令は、ホーム基地局ＨＢＳに電源が投入されるとき、ランダムアクセスメモリ２０３に転送される。
【００７３】
ホーム基地局ＨＢＳは、ネットワークインタフェース２０６を通して通信ネットワークに接続し得る。例えば、ネットワークインタフェース２０６は、ＤＳＬ（デジタル加入者回線）モデム、ＩＳＤＮ（総合デジタル通信網）インタフェース、または無線インタフェース等である。ネットワークインタフェース２０６を通して、ホーム基地局ＢＳは、メッセージをサーバＳｅｒｖまたは近傍ホーム基地局ＨＢＳに転送し得る。ここで、ホーム基地局ＨＢＳ１の場合、ネットワークインタフェース２０６が無線インタフェースであることに留意する必要がある。
【００７４】
無線インタフェース２０５およびネットワークインタフェース２０６は、モバイル端末ＭＴがリモート通信装置との通信を受信するか、またはリモート通信装置との通信を確立するときに、無線セルラ通信ネットワークにアクセスするために、モバイル端末ＭＴによって使用される。
【００７５】
図３は、本発明が実施されるモバイル端末のアーキテクチャを表す図である。
【００７６】
モバイル端末ＭＴは、例えば、バス３０１によって互いに接続される構成要素と、図１１、図１２および図１３に開示されるプログラムによって制御されるプロセッサ３００とに基づくアーキテクチャを有する。
【００７７】
バス３０１は、プロセッサ３００を、読み取り専用メモリＲＯＭ３０２、ランダムアクセスメモリＲＡＭ３０３および無線インタフェース３０５にリンクする。
【００７８】
メモリ３０３は、図１１、図１２および図１３に開示されるアルゴリズムに関連するプログラムの変数および命令を受信することが意図されるレジスタを含む。
【００７９】
プロセッサ３００は、無線インタフェース３０５の動作を制御する。
【００８０】
読み取り専用メモリ３０２は、図１１、図１２および図１３に開示されるアルゴリズムに関連するプログラムの命令を含む。命令は、モバイル端末ＭＴに電源が投入されるとき、ランダムアクセスメモリ３０３に転送される。
【００８１】
無線インタフェース３０５は、パイロットおよびデータを表す信号を受信する手段と、データを復号化する手段と、ＣＲＣチェック手段と、少なくとも１つのホーム基地局によって転送される同期信号と同期する手段と、少なくとも１つのホーム基地局ＨＢＳによって転送される少なくとも１つのＰＣＩを取得する手段と、ＰＣＩ衝突検出を通知する手段とを備える。
【００８２】
図４は、本発明が実施されるサーバのアーキテクチャを表す図である。
【００８３】
サーバＳｅｒｖは、例えば、バス４０１によって互いに接続される構成要素と、図１０に開示されるプログラムによって制御されるプロセッサ４００とに基づくアーキテクチャを有する。
【００８４】
バス４０１は、プロセッサ４００を、読み取り専用メモリＲＯＭ４０２、ランダムアクセスメモリＲＡＭ４０３およびネットワークインタフェース４０６にリンクする。
【００８５】
メモリ４０３は、図１０に開示されるアルゴリズムに関連するプログラムの命令および変数を受信することが意図されるレジスタを含む。
【００８６】
プロセッサ４００は、ネットワークインタフェース４０６の動作を制御する。
【００８７】
読み取り専用メモリ４０２は、図１０に開示されるアルゴリズムに関連するプログラムの命令を含む。命令は、サーバＳｅｒｖに電源が投入されるとき、ランダムアクセスメモリ４０３に転送される。
【００８８】
サーバＳｅｒｖは、ネットワークインタフェース４０６を通して通信ネットワークに接続し得る。例えば、ネットワークインタフェース４０６は、ＤＳＬ（デジタル加入者回線）モデム、ＩＳＤＮ（総合デジタル通信網）インタフェース、無線インタフェース、またはそれらの組み合わせである。サーバＳｅｒｖは、ネットワークインタフェース４０６を通して、ホーム基地局ＨＢＳにメッセージを転送するか、またはＨＢＳからメッセージを受信し得る。
【００８９】
サーバＳｅｒｖは、別個のネットワークエンティティであってもよく、またはホーム基地局ＨＢＳよりも上位の階層的役割を有する別のネットワークメンバであってもよい。例えば、ホーム基地局ＨＢＳが中継器である場合、サーバＳｅｒｖはマクロ基地局であることができる。
【００９０】
図５は、本発明を実現する第１の形態による、ホーム基地局によって実行されるアルゴリズムの一例を開示する。
【００９１】
より正確には、本アルゴリズムは、各ホーム基地局ＨＢＳのプロセッサ２００によって実行される。
【００９２】
本アルゴリズムは、ホーム基地局ＨＢＳ１によって実行される一例において開示される。
【００９３】
本アルゴリズムは、１つのみの干渉側ホーム基地局ＨＢＳ２(interfering home base station)が存在する一例において開示される。実際には、より多くの干渉側ホーム基地局ＨＢＳが存在し得る。
【００９４】
ステップＳ５００において、プロセッサ２００は、ホーム基地局ＨＢＳ１がサービングする複数のモバイル端末ＭＴのうちの少なくとも一部に衝突追跡要求メッセージを転送するように、無線インタフェース２０５に命令する。
【００９５】
メッセージは、ホーム基地局によってサービングされる各モバイル端末ＭＴまたはいくつかのモバイル端末のみ、例えば、ホーム基地局ＨＢＳ１のカバレッジエリアのエッジに位置された１つもしくは複数のモバイル端末ＭＴのみに転送され得る。
【００９６】
一変形形態では、デフォルトにより、全てのモバイル端末ＭＴがＰＣＩ衝突追跡を実行する。この場合、ステップＳ５００は省かれる。
【００９７】
次のステップＳ５０１において、プロセッサ２００は、少なくとも１つのモバイル端末ＭＴがＰＣＩ衝突を検出することを示す少なくとも１つのＰＣＩ衝突リポートを、少なくとも１つのモバイル端末ＭＴから受信するか否かを監視するように、無線インタフェース２０５に命令する。
【００９８】
例えば、ＰＣＩ衝突を監視するとともに、ＰＣＩ衝突イベントを経験しているモバイル端末ＭＴがなお、ホーム基地局ＨＢＳ１によって転送される下りリンク制御シグナリングを復号化可能な場合、モバイル端末ＭＴはなお、サービングホーム基地局ＨＢＳ１に接続されている。この場合、モバイル端末ＭＴは、ＰＣＩ衝突リポートをサービングホーム基地局ＨＢＳ１に転送し得る。
【００９９】
ＰＣＩ衝突リポートは、モバイル端末ＭＴとサービングホーム基地局ＨＢＳ１との間の上りリンクチャネルにおいて、物理層（ＰＨＹ）、媒体アクセス制御（ＭＡＣ）層、または無線リソース制御（ＲＲＣ）層を介して送信されることができる。
【０１００】
物理層において、ＰＣＩ衝突リポートに関する特定のビットを含む特別な物理上りリンク制御チャネルフォーマットを使用し得る。例えば、特定のビットは、ＰＣＩ衝突が検出される場合に１に設定され、その他の場合にヌル値に設定される。
【０１０１】
ＰＣＩ衝突が既に深刻である場合、モバイル端末ＭＴは、スケジュールされたメッセージに関して、サービングホーム基地局ＨＢＳによりどの上りリンクリソースがそのモバイル端末ＭＴに割り振られているかを示す情報を特定することができない。モバイル端末ＭＴはもはや、サービングホーム基地局ＨＢＳ１と通信することができず、発生しているＰＣＩ衝突についてサービングホーム基地局ＨＢＳに通知することが可能になる前に、無線リンク故障(Radio Link Failure)（ＲＬＦ）になる。
【０１０２】
この場合、モバイル端末ＭＴは、例えば、無線リンク故障前に知られており、古くなっている可能性がある前のシステム情報に基づいて、ランダムアクセス要求をランダムアクセスチャネル（ＲＡＣＨ）で送信することにより、ホーム基地局ＨＢＳ１に通知しようとする。
【０１０３】
ランダムアクセスチャネルは、スケジュールされていないメッセージの転送に割り振られる上りリンクチャネルのリソースである。
【０１０４】
例えば、ランダムアクセス要求は、ＰＣＩ衝突を示す特定のビットを含むか、またはＰＣＩ衝突の発生に固有のプリアンブルを有する一時的な識別子を含む。プリアンブルは、ホーム基地局ＨＢＳ１によりシステム情報においてシグナリングしてもよく、無線セルラ通信ネットワークにおいて予め定義してもよく、または無線リソース制御（ＲＲＣ）を通してモバイル端末ＭＴに転送してもよい。
【０１０５】
特定の特徴によれば、ＰＣＩ衝突シグナリング専用のＲＡＣＨリソースは、全てのホーム基地局ＨＢＳで、時間／周波数／符号領域の特定の位置で、上りリンクチャネルにおいて確保することができる。したがって、ＰＣＩ衝突をサービングホーム基地局ＨＢＳ１に通知しようとするモバイル端末ＭＴによって送信されるランダムアクセス要求は、同期されるとともに干渉する可能性がある近傍の任意のホーム基地局ＨＢＳ２によって読み取られることができる。ランダムアクセス要求は、被干渉側のホーム基地局ＨＢＳ１のＰＣＩを含むとともに、場合によってはその一意の識別子を含み、それにより、ＰＣＩ衝突イベントに関与していることを干渉側のホーム基地局ＨＢＳ２が検出できるようにする。
【０１０６】
ステップＳ５０２において、プロセッサ２００は、少なくとも１つの衝突が報告されるか否かをチェックし、ＰＣＩ衝突が発生しているか否かを判断する。衝突がないと判断される限り、プロセッサ２００は、ステップＳ５０１およびＳ５０２によって構成されるループを実行する。
【０１０７】
ステップＳ５０３において、プロセッサ２００は、通信ネットワークを通してブロードキャストメッセージを転送し、それにより、ＰＣＩ衝突が発生していることを近傍のホーム基地局に通知するように、ネットワークインタフェース２０６に命令する。
【０１０８】
メッセージは少なくとも、ホーム基地局ＨＢＳ１の一意の識別子と、ホーム基地局ＨＢＳ１のＰＣＩとを含む。
【０１０９】
次のステップＳ５０４において、プロセッサ２００は、ステップＳ５０３において転送されるメッセージに応答して、ネットワークインタフェース２０６によってメッセージが受信されるか否かをチェックする。
【０１１０】
ステップＳ５０３において転送されるメッセージに含まれるものと同じＰＣＩを有する干渉側のホーム基地局ＨＢＳ２がＰＣＩ衝突に関与していることに気付いた場合、干渉側のホーム基地局ＨＢＳ２は応答をホーム基地局ＨＢＳ１に転送する。メッセージは、例えば、干渉側のホーム基地局ＨＢＳ２の一意の識別子を含み得る。
【０１１１】
実現の一変形形態では、干渉側のホーム基地局ＨＢＳ２は、モバイル端末ＭＴによって転送されるＲＡＣＨメッセージまたはモバイル端末ＭＴリポートを介して、ＰＣＩ衝突に関与していることに気付き得る。
【０１１２】
例えば１００ｍｓ等の所与の時間枠内にネットワークインタフェース２０６がメッセージを受信する場合、プロセッサ２００はステップＳ５０５に移る。その他の場合、プロセッサ２００はステップＳ５１０に移る。
【０１１３】
ステップＳ５０５において、被干渉側のホーム基地局ＨＢＳ１および干渉側のホーム基地局ＨＢＳ２は、ネゴシエーションフェーズを開始する。例えば、ネゴシエーション中、被干渉側ホーム基地局ＨＢＳと干渉側のホーム基地局ＨＢＳとの間での少なくとも１つの非ヌルタイミングオフセットが決定され、被干渉側のホーム基地局ＨＢＳ１と干渉側のホーム基地局ＨＢＳ２との同期を脱する。
【０１１４】
被干渉側のホーム基地局ＨＢＳ１と干渉側のホーム基地局ＨＢＳ２との同期を脱することにより、被干渉側のホーム基地局ＨＢＳ１および干渉側のホーム基地局ＨＢＳ２によって転送されるＣＲＳはもはや重複せず、モバイル端末ＭＴによって実行されるチャネル推定はより正確になる。
【０１１５】
また、少なくとも１つのタイミングオフセットが適用される瞬間Ｔ０も決定される。
さらに、ＰＣＩ衝突に関与しているより性能が低いホーム基地局が使用可能な、ホーム基地局ＨＢＳのアンテナ数のような性能および／またはＭＩＭＯ性能が、特定されるとともに選択される。
２つのホーム基地局が各自のシステム情報の送信を調整できるようにする任意の他の情報も交換される。そのような情報は、例えば、システム情報それ自体に加えて、下りリンク共有チャネルに埋め込まれるシステム情報の部分をスケジューリングする制御シグナリング情報を含み得る。
【０１１６】
ＰＣＩ衝突に関与するホーム基地局ＨＢＳごとに１つずつ、２つの異なるタイミングオフセットを定義し得ることに留意する必要がある。
【０１１７】
次のステップＳ５０６において、ホーム基地局ＨＢＳ１のプロセッサ２００は、セルＣＥ１内のアイドルモードであるモバイル端末ＭＴおよび接続モードであるモバイル端末ＭＴの両方への、システム情報の更新が実行されることメッセージの転送を命令する。
通知は、例えば、アイドルモードにおいてモバイル端末ＭＴをページングすることにより、または接続モードにおいてモバイル端末によって常時監視される情報内に特定のタグを使用することにより、送信することができる。
例えば、ＬＴＥでは、接続モードにおけるモバイル端末ＭＴには、システム情報ブロック１（ＳＩＢ１）内の値タグを使用することによって通知され、値タグは、１つまたは複数のシステム情報メッセージが変更される度にインクリメントされる。
【０１１８】
ホーム基地局ＨＢＳ２が、セル内のアイドルモードであるモバイル端末ＭＴおよび接続モードであるモバイル端末ＭＴの両方に、システム情報の更新が実行されることを通知することに留意する必要がある。
【０１１９】
次のステップＳ５０７において、プロセッサ２００は、モバイル端末ＭＴにシステム情報を転送するように、無線インタフェース２０５に命令する。被干渉側のホーム基地局ＨＢＳ１および干渉側のホーム基地局ＨＢＳ２は両方とも、同じリソースと、最大でも、より低い性能を有するホーム基地局の性能である同じ性能とを使用して、同じシステム情報を同期して転送する。
システム情報は、ネゴシエーションフェーズ中に取得される情報に適合して更新される。システム情報は、少なくとも１つのタイミングオフセットと、タイミングオフセットが対応する１つまたは複数の一意のホーム基地局ＨＢＳのＩＤと、少なくとも１つのタイミングオフセットが適用される瞬間Ｔ０とを含むように添付される。
一変形形態では、Ｔ０はデフォルトの絶対値であるか、またはシステムで予め決定される相対値であることができ、その場合、この値を決定するかまたは送信する必要はない。
【０１２０】
２つの衝突しているホーム基地局ＨＢＳ１およびＨＢＳ２は、ネゴシエーションフェーズで直接交換される情報に従って、共通ブロードキャストチャネル、システム情報および制御シグナリングを調整し送信することが可能である。
共通チャネルは、衝突に関与する性能のより低いホーム基地局ＨＢＳの性能に対応してセットアップされる。したがって、モバイル端末ＭＴが接続される無線リンクを保存することができ、グローバル無線リンク故障が回避される。
例えば、ＬＴＥでは、マルチアンテナ送信が可能な場合、ＳＩＢを搬送するＰＢＣＨ、ＰＤＣＣＨおよびＰＤＳＣＨは、多くとも、２つの衝突しているホーム基地局ＨＢＳ１およびＨＢＳ２のうちの最小数のアンテナを有するＨＢＳの数のアンテナを使用して送信されなければならない。
【０１２１】
ステップＳ５０８において、プロセッサ２００は、時間Ｔ０においてタイミングオフセットを適用するように、無線インタフェース２０５に命令する。
【０１２２】
次のステップＳ５０９において、プロセッサ２００は、単一のセル送信に対応する新しいシステム情報を転送するように、無線インタフェース２０５に命令する。
【０１２３】
新しいシステム情報は、非調整送信、例えばステップＳ５０４の前に使用される送信等に対応する。システム情報の更新は一般に、セル内のアクティブモードまたはアイドルモードである全てのモバイル端末ＭＴに、ＳＩが変更されたことを通知し、次に、更新を効果的に適用することを含む。
【０１２４】
その後、プロセッサ２００はステップＳ５００に戻る。
【０１２５】
ステップＳ５１０において、プロセッサ２００は、それ自体によって新しいタイミングオフセットを決定する。
【０１２６】
次のステップＳ５１１において、ホーム基地局ＨＢＳ１のプロセッサ２００は、セルＣＥ１内のアイドルモードであるモバイル端末ＭＴおよび接続モードであるモバイル端末ＭＴの両方に、システム情報の更新が実行されることを通知する。
通知は、例えば、アイドルモードにおいてモバイル端末ＭＴをページングすることにより、または接続モードにおいてモバイル端末ＭＴによって常時監視される情報内に特定のタグを使用することにより、送信することができる。
例えば、ＬＴＥでは、接続モードにおけるモバイル端末には、ＳＩＢ１内の値タグを使用することによって通知され、値タグは、１つまたは複数のシステム情報メッセージが変更される度にインクリメントされる。
【０１２７】
ステップＳ５１２において、プロセッサ２００は、システム情報をモバイル端末ＭＴに転送するように、無線インタフェース２０５に命令する。
システム情報は、ステップＳ５１０において決定されるタイミングオフセットと、少なくとも１つのタイミングオフセットが適用される瞬間Ｔ０とを含むように添付される。
一変形形態では、Ｔ０はデフォルトの絶対値であるか、またはシステムで予め決定される相対値であることができ、その場合、この値を決定するかまたは送信する必要はない。
【０１２８】
ステップＳ５１３において、プロセッサ２００は、時間Ｔ０においてタイミングオフセットを適用するように、無線インタフェース２０５に命令する。
【０１２９】
ステップＳ５１４において、プロセッサ２００は、通常の送信に対応する新しいシステム情報を転送するように、無線インタフェース２０５に命令する。
タイミングオフセット情報は、システム情報から除去される。
新しいシステム情報は、通常の送信、例えば、ステップＳ５０４の前に使用される送信に対応する。
システム情報の更新は一般に、ＳＩが変更されたことを、セル内のアクティブモードであるか、またはアイドルモードである全てのモバイル端末ＭＴに通知し、次に、更新を効果的に適用することを含む。
【０１３０】
その後、プロセッサ２００はステップＳ５００に戻る。
【０１３１】
一変形形態では、ステップＳ５０４において、応答を所与の時間枠内で受信しない場合、プロセッサ２００がステップＳ５１０〜Ｓ５１４を実行せずにステップＳ５００に戻ることに留意する必要がある。
【０１３２】
図６は、本発明を実現する第２の形態による、ホーム基地局によって実行されるアルゴリズムの一例を開示する。
【０１３３】
より正確には、本アルゴリズムは、各ホーム基地局ＨＢＳのプロセッサ２００によって実行される。
【０１３４】
本アルゴリズムは、ホーム基地局ＨＢＳ１によって実行される一例において開示される。
【０１３５】
本アルゴリズムは、１つのみの干渉側ホーム基地局ＨＢＳ２が存在する一例において開示される。実際には、より多くの干渉側ホーム基地局ＨＢＳが存在し得る。
【０１３６】
ステップＳ６００において、プロセッサ２００は、ホーム基地局ＨＢＳ１がサービングする複数のモバイル端末ＭＴのうちの少なくとも一部に衝突追跡要求メッセージを転送するように、無線インタフェース２０５に命令する。
【０１３７】
メッセージは、ホーム基地局によってサービングされる各モバイル端末ＭＴまたはいくつかのモバイル端末のみ、例えば、ホーム基地局ＨＢＳ１のカバレッジエリアのエッジに配置された１つもしくは複数のモバイル端末ＭＴに転送され得る。
【０１３８】
一変形形態では、デフォルトにより、全てのモバイル端末ＭＴがＰＣＩ衝突追跡を実行する。この場合、ステップＳ５００は省かれる。
【０１３９】
次のステップＳ６０１において、プロセッサ２００は、図５のステップＳ５０１において開示されるように、少なくとも１つのモバイル端末ＭＴがＰＣＩ衝突を検出することを示す少なくとも１つのＰＣＩ衝突リポートを、少なくとも１つのモバイル端末ＭＴから受信するか否かを監視するように、無線インタフェース２０５に命令する。
【０１４０】
ステップＳ６０２において、プロセッサ２００は、少なくとも１つの衝突が報告されるか否かをチェックし、ＰＣＩ衝突が発生しているか否かを判断する。衝突がないと判断される限り、プロセッサ２００は、ステップＳ６０１およびＳ６０２によって構成されるループを実行する。
【０１４１】
ステップＳ６０３において、プロセッサ２００は、通信ネットワーク５０を通してメッセージを転送し、それにより、ＰＣＩ衝突が発生していることをサーバＳｅｒｖに通知するように、ネットワークインタフェース２０６に命令する。
【０１４２】
メッセージは少なくとも、ホーム基地局ＨＢＳ１の一意の識別子と、ホーム基地局ＨＢＳ１のＰＣＩとを含む。
【０１４３】
次のステップＳ６０４において、プロセッサ２００は、ステップＳ６０３において転送されるメッセージに応答して、メッセージがサーバＳｅｒｖから受信されるか否かをチェックする。
【０１４４】
所与の時間枠内にメッセージがサーバＳｅｒｖから受信される場合、プロセッサ２００はステップＳ６０５に移る。その他の場合、プロセッサ２００はステップＳ６０９に移る。
【０１４５】
ステップＳ６０４において受信されるメッセージは、少なくとも１つのタイミングオフセットと、タイミングオフセットが対応する１つまたは複数の一意のホーム基地局ＨＢＳのＩＤと、少なくとも１つのタイミングオフセットが適用される瞬間Ｔ０とを含む。
一変形形態では、Ｔ０はデフォルトの絶対値であるか、またはシステムで予め決定される相対値であることができ、その場合、この値を決定するかまたは送信する必要はない。いくつかのタイミングオフセットが決定される場合、少なくとも１つは非ヌルでなければならない。
【０１４６】
さらに、ＰＣＩ衝突に関与する性能のより低いホーム基地局の、ホーム基地局ＨＢＳのアンテナ数のような性能および／またはＭＩＭＯ性能が受信され、２つのホーム基地局がシステム情報の送信を調整できるようにする情報も受信される。そのような情報は、例えば、システム情報それ自体に加えて、下りリンク共有チャネルに埋め込まれるシステム情報の部分をスケジューリングする制御シグナリング情報を含み得る。
【０１４７】
ステップＳ６０５において、ホーム基地局ＨＢＳ１のプロセッサ２００は、セルＣＥ１内のアイドルモードであるモバイル端末ＭＴおよび接続モードであるモバイル端末ＭＴの両方への、システム情報の更新が実行されることメッセージの転送を命令する。
通知は、例えば、アイドルモードにおいてモバイル端末ＭＴをページングすることにより、または接続モードにおいてモバイル端末によって常時監視される情報内に特定のタグを使用することにより、送信することができる。
例えば、ＬＴＥでは、接続モードにおけるモバイル端末ＭＴには、ＳＩＢ１内の値タグを使用することによって通知され、値タグは、１つまたは複数のシステム情報メッセージが変更される度にインクリメントされる。
【０１４８】
ホーム基地局ＨＢＳ２が、セル内のアイドルモードであるモバイル端末ＭＴおよび接続モードであるモバイル端末ＭＴの両方に、システム情報の更新が実行されることを通知することに留意する必要がある。
【０１４９】
次のステップＳ６０６において、プロセッサ２００は、モバイル端末ＭＴにシステム情報を転送するように、無線インタフェース２０５に命令する。被干渉側のホーム基地局ＨＢＳ１および干渉側のホーム基地局ＨＢＳ２は両方とも、同じ性能および同じリソースを使用して、同じシステム情報を同期して転送する。
システム情報は、ステップＳ６０４において受信されるメッセージで取得される情報に適合して更新される。システム情報は、少なくとも１つのタイミングオフセットと、タイミングオフセットが対応する１つまたは複数の一意のホーム基地局ＨＢＳのＩＤと、少なくとも１つのタイミングオフセットが適用される瞬間Ｔ０とを含むように添付される。
一変形形態では、Ｔ０はデフォルトの絶対値であるか、またはシステムで予め決定される相対値であることができ、その場合、この値を決定するか、または送信する必要はない。
【０１５０】
２つの衝突しているホーム基地局ＨＢＳ１およびＨＢＳ２は、ネゴシエーションフェーズで直接交換される情報に従って、共通ブロードキャストチャネル、システム情報および制御シグナリングを調整し送信することが可能である。
共通チャネルは、衝突に関与する性能のより低いホーム基地局ＨＢＳの性能に対応してセットアップされる。したがって、モバイル端末ＭＴが接続される無線リンクを保存することができ、グローバル無線リンク故障が回避される。
例えば、ＬＴＥでは、マルチアンテナ送信が可能な場合、ＳＩＢを搬送するＰＢＣＨ、ＰＤＣＣＨおよびＰＤＳＣＨは、多くとも、２つの衝突しているホーム基地局ＨＢＳ１およびＨＢＳ２のうちの最小数のアンテナを有するＨＢＳの数のアンテナを使用して送信されなければならない。
【０１５１】
ステップＳ６０７において、プロセッサ２００は、時間Ｔ０においてタイミングオフセットを適用するように、無線インタフェース２０５に命令する。
【０１５２】
次のステップＳ６０８において、プロセッサ２００は、単一のセル送信に対応する新しいシステム情報を転送するように、無線インタフェース２０５に命令する。
【０１５３】
新しいシステム情報は、非調整送信、例えばステップＳ６０４の前に使用される送信等に対応する。システム情報の更新は一般に、セル内のアクティブモードまたはアイドルモードである全てのモバイル端末ＭＴに、ＳＩが変更されたことを通知し、次に、更新を効果的に適用することを含む。
【０１５４】
その後、プロセッサ２００はステップＳ６００に戻る。
【０１５５】
ステップＳ６０９において、プロセッサ２００は、それ自体によって新しいタイミングオフセットを決定する。
【０１５６】
次のステップＳ６１０において、ホーム基地局ＨＢＳ１のプロセッサ２００は、図５のステップＳ５１１に開示されるように、セルＣＥ１内のアイドルモードであるモバイル端末ＭＴおよび接続モードであるモバイル端末ＭＴの両方に、システム情報の更新が実行されることを通知する。
【０１５７】
ステップＳ６１１において、プロセッサ２００は、システム情報をモバイル端末ＭＴに転送するように、無線インタフェース２０５に命令する。
システム情報は、ステップＳ６０９において決定されるタイミングオフセットと、少なくとも１つのタイミングオフセットが適用される瞬間Ｔ０とを含むように添付される。
一変形形態では、Ｔ０はデフォルトの絶対値であるか、またはシステムで予め決定される相対値であることができ、その場合、この値を決定するかまたは送信する必要はない。
【０１５８】
ステップＳ６１２において、プロセッサ２００は、時間Ｔ０においてタイミングオフセットを適用するように、無線インタフェース２０５に命令する。
【０１５９】
ステップＳ６１３において、プロセッサ２００は、通常の送信に対応する新しいシステム情報を転送するように、無線インタフェース２０５に命令する。
タイミングオフセット情報は、システム情報から除去される。
新しいシステム情報は、通常の送信、例えば、ステップＳ６０４の前に使用される送信に対応する。
システム情報の更新は一般に、ＳＩが変更されたことを、セル内のアクティブモードであるか、またはアイドルモードである全てのモバイル端末ＭＴに通知し、次に、更新を効果的に適用することを含む。
【０１６０】
その後、プロセッサ２００はステップＳ６００に戻る。
【０１６１】
一変形形態では、ステップＳ６０４において、応答を所与の時間枠内で受信しない場合、プロセッサ２００がステップＳ６０９〜Ｓ６１３を実行せずにステップＳ６００に戻ることに留意する必要がある。
【０１６２】
図７は、本発明を実現する第３の形態による、ホーム基地局によって実行されるアルゴリズムの一例を開示する。
【０１６３】
より正確には、本アルゴリズムは、各ホーム基地局ＨＢＳのプロセッサ２００によって実行される。
【０１６４】
本アルゴリズムは、ホーム基地局ＨＢＳ１によって実行される一例において開示される。
【０１６５】
本アルゴリズムは、１つのみの干渉側ホーム基地局ＨＢＳ２が存在する一例において開示される。実際には、より多くの干渉側ホーム基地局ＨＢＳが存在し得る。
【０１６６】
ステップＳ７００において、プロセッサ２００はＰＣＩ検出手順を開始する。例えば、プロセッサ２００は、３ＧＰＰ  ＬＴＥでの基準信号受信電力（ＲＳＲＰ）のような、チャネル品質情報（ＣＱＩ）リポートまたはパイロット電力リポート等の、モバイル端末ＭＴによって転送される測定リポートを監視する。
【０１６７】
例えば、ホーム基地局ＨＢＳによってサービングされる複数のモバイル端末と、ホーム基地局との間の無線リンクが故障する場合、プロセッサ２００は、ＰＣＩ衝突が発生したと判断する。
【０１６８】
ステップＳ７０１において、プロセッサ２００は、衝突が検出されるか否かをチェックする。衝突が検出されない限り、プロセッサ２００は、ステップＳ７００およびＳ７０１によって構成されるループを実行する。
【０１６９】
ステップＳ７０２において、プロセッサ２００は、図５のステップＳ５０３に開示されるように、通信ネットワークを通してブロードキャストメッセージを転送し、それにより、ＰＣＩ衝突が発生していることを近傍のホーム基地局ＨＢＳに通知するように、ネットワークインタフェース２０６に命令する。
【０１７０】
次のステップＳ７０３において、プロセッサ２００は、ステップＳ７０２において転送されるメッセージに応答して、ネットワークインタフェース２０６によってメッセージが受信されるか否かをチェックする。
【０１７１】
所与の時間枠内でネットワークインタフェース２０６がメッセージを受信する場合、プロセッサ２００はステップＳ７０４に移る。その他の場合、プロセッサ２００はステップＳ７０９に移る。
【０１７２】
ステップＳ７０４において、図５のステップＳ５０５に開示されるように、被干渉側および干渉側のホーム基地局ＨＢＳはネゴシエーションフェーズを開始する。
【０１７３】
次のステップＳ７０５において、ホーム基地局ＨＢＳ１のプロセッサ２００は、図５のステップＳ５０６に開示されるように、セル内のアイドルモードであるモバイル端末ＭＴおよび接続モードであるモバイル端末ＭＴの両方への、システム情報の更新が実行されることメッセージの転送を命令する。
【０１７４】
ホーム基地局ＨＢＳ２が、セル内のアイドルモードであるモバイル端末ＭＴおよび接続モードであるモバイル端末ＭＴの両方に、システム情報の更新が実行されることを通知することに留意する必要がある。
【０１７５】
次のステップＳ７０６において、プロセッサ２００は、モバイル端末ＭＴにシステム情報を転送するように、無線インタフェース２０５に命令する。被干渉側のホーム基地局ＨＢＳ１および干渉側のホーム基地局ＨＢＳ２は両方とも、同じリソースと、最大でも、より低い性能を有するホーム基地局の性能である同じ性能とを使用して、同じシステム情報を同期して転送する。
システム情報は、ネゴシエーションフェーズ中に取得される情報に適合して更新される。システム情報は、少なくとも１つのタイミングオフセットと、タイミングオフセットが対応する１つまたは複数の一意のホーム基地局ＨＢＳのＩＤと、少なくとも１つのタイミングオフセットが適用される瞬間Ｔ０とを含むように添付される。
一変形形態では、Ｔ０はデフォルトの絶対値であるか、またはシステムで予め決定される相対値であることができ、その場合、この値を決定するかまたは送信する必要はない。
【０１７６】
２つの衝突しているホーム基地局ＨＢＳ１およびＨＢＳ２は、図５のステップＳ５０７に開示されるように、共通システム情報を調整し送信することが可能である。
【０１７７】
ステップＳ７０７において、プロセッサ２００は、時間Ｔ０においてタイミングオフセットを適用するように、無線インタフェース２０５に命令する。
【０１７８】
次のステップＳ７０８において、プロセッサ２００は、単一のセル送信に対応する新しいシステム情報を転送するように、無線インタフェース２０５に命令する。
【０１７９】
新しいシステム情報は、非調整送信、例えば、ステップＳ７０３の前に使用される送信に対応する。システム情報の更新は一般に、セル内のアクティブモードまたはアイドルモードである全てのモバイル端末ＭＴに、ＳＩが変更されたことを通知し、次に、更新を効果的に適用することを含む。
【０１８０】
その後、プロセッサ２００はステップＳ７００に戻る。
【０１８１】
ステップＳ７０９において、プロセッサ２００は、それ自体によって新しいタイミングオフセットを決定する。
【０１８２】
次のステップＳ７１０において、ホーム基地局ＨＢＳ１のプロセッサ２００は、図５のステップＳ５１１に開示されるように、セル内のアイドルモードであるモバイル端末ＭＴおよび接続モードであるモバイル端末ＭＴの両方に、システム情報の更新が実行されることを通知する。
【０１８３】
ステップＳ７１１において、プロセッサ２００は、モバイル端末ＭＴにシステム情報を転送するように、無線インタフェース２０５に命令する。
システム情報は、ステップＳ７０９において決定されるタイミングオフセットと、少なくとも１つのタイミングオフセットが適用される瞬間Ｔ０とを含むように添付される。
一変形形態では、Ｔ０はデフォルトの絶対値であるか、またはシステムで予め決定される相対値であることができ、その場合、この値を決定するかまたは送信する必要はない。
【０１８４】
ステップＳ７１２において、プロセッサ２００は、時間Ｔ０においてタイミングオフセットを適用するように、無線インタフェース２０５に命令する。
【０１８５】
ステップＳ７１３において、プロセッサ２００は、通常の送信に対応する新しいシステム情報を転送するように、無線インタフェース２０５に命令する。
タイミングオフセット情報は、システム情報から除去される。
新しいシステム情報は、通常の送信、例えば、ステップＳ７０３の前に使用される送信等に対応する。システム情報の更新は一般に、セル内のアクティブモードまたはアイドルモードである全てのモバイル端末ＭＴに、ＳＩが変更されたことを通知し、次に、更新を効果的に適用することを含む。
【０１８６】
その後、プロセッサ２００はステップＳ７００に戻る。
【０１８７】
一変形形態では、ステップＳ７０４において、応答を所与の時間枠内で受信しない場合、プロセッサ２００がステップＳ７０９〜Ｓ７１３を実行せずにステップＳ７００に戻ることに留意する必要がある。
【０１８８】
図８は、本発明を実現する第４の形態による、ホーム基地局によって実行されるアルゴリズムの一例を開示する。
【０１８９】
より正確には、本アルゴリズムは、各ホーム基地局ＨＢＳのプロセッサ２００によって実行される。
【０１９０】
本アルゴリズムは、ホーム基地局ＨＢＳ１によって実行される一例において開示される。
【０１９１】
本アルゴリズムは、１つのみの干渉側ホーム基地局ＨＢＳ２が存在する一例において開示される。実際には、より多くの干渉側ホーム基地局ＨＢＳが存在し得る。
【０１９２】
ステップＳ８００において、図７のステップＳ７００に開示されるように、プロセッサ２００はＰＣＩ検出手順を開始する。
【０１９３】
ステップＳ８０１において、プロセッサ２００は、衝突が検出されるか否かをチェックする。衝突が検出されない限り、プロセッサ２００は、ステップＳ８００およびＳ８０１によって構成されるループを実行する。
【０１９４】
ステップＳ８０２において、プロセッサ２００は、通信ネットワーク５０を通してメッセージを転送し、それにより、ＰＣＩ衝突が発生していることをサーバＳｅｒｖに通知するように、ネットワークインタフェース２０６に命令する。
【０１９５】
メッセージは少なくとも、ホーム基地局ＨＢＳ１の一意の識別子と、ホーム基地局ＨＢＳ１のＰＣＩとを含む。
【０１９６】
次のステップＳ８０３において、プロセッサ２００は、ステップＳ８０２において転送されるメッセージに応答して、メッセージがサーバＳｅｒｖから受信されるか否かをチェックする。
【０１９７】
所与の時間枠内にメッセージがサーバＳｅｒｖから受信される場合、プロセッサ２００はステップＳ８０４に移る。その他の場合、プロセッサ２００はステップＳ８０９に移る。
【０１９８】
ステップＳ８０３において受信されるメッセージは、図６のステップＳ６０４において開示されるメッセージである。
【０１９９】
ステップＳ８０４において、プロセッサ２００は、図５のステップＳ５０６に開示されるように、セル内のアイドルモードであるモバイル端末ＭＴおよび接続モードであるモバイル端末ＭＴの両方への、システム情報の更新が実行されることメッセージの転送を命令する。
【０２００】
ホーム基地局ＨＢＳ２が、セル内のアイドルモードであるモバイル端末ＭＴおよび接続モードであるモバイル端末ＭＴの両方に、システム情報の更新が実行されることを通知することに留意する必要がある。
【０２０１】
次のステップＳ８０５において、プロセッサ２００は、モバイル端末ＭＴにシステム情報を転送するように、無線インタフェース２０５に命令する。被干渉側のホーム基地局ＨＢＳ１および干渉側のホーム基地局ＨＢＳ２は両方とも、同じ性能および同じリソースを使用して、同じシステム情報を同期して転送する。
システム情報は、ステップＳ８０３において受信されるメッセージで取得される情報に適合して更新される。システム情報は、少なくとも１つのタイミングオフセットと、タイミングオフセットが対応する１つまたは複数の一意のホーム基地局ＨＢＳのＩＤと、少なくとも１つのタイミングオフセットが適用される瞬間Ｔ０とを含むように添付される。
一変形形態では、Ｔ０はデフォルトの絶対値であるか、またはシステムで予め決定される相対値であることができ、その場合、この値を決定するかまたは送信する必要はない。
【０２０２】
２つの衝突しているホーム基地局ＨＢＳ１およびＨＢＳ２は、図５のステップＳ５０７に開示されるように、共通ブロードキャストチャネル、システム情報および制御シグナリングを調整し送信することが可能である。
【０２０３】
ステップＳ８０６において、プロセッサ２００は、時間Ｔ０においてタイミングオフセットを適用するように、無線インタフェース２０５に命令する。
【０２０４】
次のステップＳ８０７において、プロセッサ２００は、単一のセル送信に対応する新しいシステム情報を転送するように、無線インタフェース２０５に命令する。
【０２０５】
新しいシステム情報は、非調整送信、例えば、ステップＳ８０３の前に使用される送信等に対応する。システム情報の更新は一般に、セル内のアクティブモードまたはアイドルモードである全てのモバイル端末ＭＴに、ＳＩが変更されたことを通知し、次に、更新を効果的に適用することを含む。
【０２０６】
その後、プロセッサ２００はステップＳ８００に戻る。
【０２０７】
ステップＳ８０８において、プロセッサ２００は、それ自体によって新しいタイミングオフセットを決定する。
【０２０８】
次のステップＳ８０９において、ホーム基地局ＨＢＳ１のプロセッサ２００は、図５のステップＳ５１１に開示されるように、セル内のアイドルモードであるモバイル端末ＭＴおよび接続モードであるモバイル端末ＭＴの両方に、システム情報の更新が実行されることを通知する。
【０２０９】
ステップＳ８１０において、プロセッサ２００は、モバイル端末ＭＴにシステム情報を転送するように、無線インタフェース２０５に命令する。
システム情報は、ステップＳ８０８において決定されるタイミングオフセットと、少なくとも１つのタイミングオフセットが適用される瞬間Ｔ０とを含むように添付される。
一変形形態では、Ｔ０はデフォルトの絶対値であるか、またはシステムで予め決定される相対値であることができ、その場合、この値を決定するかまたは送信する必要はない。
【０２１０】
ステップＳ８１１において、プロセッサ２００は、時間Ｔ０においてタイミングオフセットを適用するように、無線インタフェース２０５に命令する。
【０２１１】
ステップＳ８１２において、プロセッサ２００は、通常の送信に対応する新しいシステム情報を転送するように、無線インタフェース２０５に命令する。
タイミングオフセット情報は、システム情報から除去される。
新しいシステム情報は、通常の送信、例えば、ステップＳ８０４の前に使用される送信に対応する。
システム情報の更新は一般に、ＳＩが変更されたことを、セル内のアクティブモードであるか、またはアイドルモードである全てのモバイル端末ＭＴに通知し、次に、更新を効果的に適用することを含む。
【０２１２】
その後、プロセッサ２００はステップ８００に戻る。
【０２１３】
ここで、一変形形態では、ステップＳ８０３において、応答を所与の時間枠内で受信しない場合、プロセッサ２００がステップＳ８０８〜Ｓ８１２を実行せずにステップ８００に戻ることに留意する必要がある。
【０２１４】
図９は、本発明による、各ホーム基地局によって実行されるアルゴリズムの一例を開示する。
【０２１５】
より正確には、本アルゴリズムは、図５、図６、図７または図８のアルゴリズムと並行して、各ホーム基地局ＨＢＳのプロセッサ２００によって実行される。
【０２１６】
本アルゴリズムは、ホーム基地局ＨＢＳ２によって実行される一例において開示される。
【０２１７】
ステップＳ９００において、プロセッサ２００は、ステップＳ５０３において開示されるように、ＰＣＩ衝突を通知するメッセージがホーム基地局から受信されるか否かをチェックする。メッセージは、被干渉側のホーム基地局、例えば、ホーム基地局ＨＢＳ１から受信される。
【０２１８】
ＰＣＩ衝突を通知するメッセージがホーム基地局ＨＢＳから受信される場合、プロセッサ２００はステップＳ９０１に移る。その他の場合、プロセッサ２００はステップＳ９０７に移る。
【０２１９】
ステップＳ９０１において、プロセッサ２００は、ホーム基地局ＨＢＳ２のＰＣＩと、ステップＳ９００において受信されるメッセージに含まれるＰＣＩとを比較することにより、ホーム基地局ＨＢＳ２がＰＣＩ衝突に関与するか否かをチェックする。
ＰＣＩが同一である場合、プロセッサ２００はステップＳ９０２に移る。その他の場合、プロセッサ２００はステップＳ９００に戻る。
【０２２０】
ステップＳ９０２において、プロセッサ２００は、ステップＳ９００において受信されるメッセージで識別されるホーム基地局ＨＢＳ１に応答メッセージを転送するように、ネットワークインタフェース２０６に命令する。ホーム基地局ＨＢＳ２は干渉側のホーム基地局である。
【０２２１】
次のステップＳ９０３において、被干渉側および干渉側のホーム基地局ＨＢＳは、図５のステップＳ５０５に開示されるように、ネゴシエーションフェーズを開始する。
【０２２２】
次のステップＳ９０４において、ホーム基地局ＨＢＳ２のプロセッサ２００は、セル内のアイドルモードであるモバイル端末ＭＴおよび接続モードであるモバイル端末ＭＴの両方への、システム情報の更新が実行されることメッセージの転送を命令する。
通知は、例えば、アイドルモードにおいてモバイル端末ＭＴをページングすることにより、または接続モードにおいてモバイル端末によって常時監視される情報内に特定のタグを使用することにより、送信することができる。
例えば、ＬＴＥでは、接続モードにおけるモバイル端末ＭＴには、システム情報ブロック１（ＳＩＢ１）内の値タグを使用することによって通知され、値タグは、１つまたは複数のシステム情報メッセージが変更される度にインクリメントされる。
【０２２３】
ホーム基地局ＨＢＳ１が、セル内のアイドルモードであるモバイル端末ＭＴおよび接続モードであるモバイル端末ＭＴの両方に、システム情報の更新が実行されることを通知することに留意する必要がある。
【０２２４】
次のステップＳ９０５において、プロセッサ２００は、モバイル端末ＭＴにシステム情報を転送するように、無線インタフェース２０５に命令する。被干渉側のホーム基地局ＨＢＳ２およびホーム基地局ＨＢＳ１は両方とも、同じ性能および同じリソースを使用して、同じシステム情報を同期して転送する。
システム情報は、ネゴシエーションフェーズ中に取得される情報に適合して更新される。システム情報は、少なくとも１つのタイミングオフセットと、タイミングオフセットが対応する１つまたは複数の一意のホーム基地局ＨＢＳ２のＩＤと、少なくとも１つのタイミングオフセットが適用される瞬間Ｔ０とを含むように添付される。
一変形形態では、Ｔ０はデフォルトの絶対値であるか、またはシステムで予め決定される相対値であることができ、その場合、この値を決定するか、または送信する必要はない。
【０２２５】
２つの衝突しているホーム基地局ＨＢＳ１およびＨＢＳ２は、ネゴシエーションフェーズで直接交換される情報に従って、共通ブロードキャストチャネル、システム情報および制御シグナリングを調整し送信することが可能である。
共通チャネルは、最大でも、衝突に関与する性能のより低いホーム基地局ＨＢＳの性能に対応してセットアップされる。したがって、モバイル端末ＭＴが接続される無線リンクを保存することができ、グローバル無線リンク故障が回避される。
例えば、ＬＴＥでは、マルチアンテナ送信が可能な場合、ＳＩＢを搬送するＰＢＣＨ、ＰＤＣＣＨおよびＰＤＳＣＨは、多くとも、２つの衝突しているホーム基地局ＨＢＳ１およびＨＢＳ２のうちの最小数のアンテナを有するＨＢＳの数のアンテナを使用して送信されなければならない。
【０２２６】
ステップＳ９０６において、プロセッサ２００は、時間Ｔ０においてタイミングオフセットを適用するように、無線インタフェース２０５に命令する。
【０２２７】
次のステップＳ９０７において、プロセッサ２００は、単一のセル送信に対応する新しいシステム情報を転送するように、無線インタフェース２０５に命令する。
【０２２８】
新しいシステム情報は、非調整送信、例えば、ステップＳ９０２の前に使用される送信等に対応する。システム情報の更新は一般に、セル内のアクティブモードまたはアイドルモードである全てのモバイル端末ＭＴに、ＳＩが変更されたことを通知し、次に、更新を効果的に適用することを含む。
【０２２９】
その後、プロセッサ２００はステップＳ９００に戻る。
【０２３０】
ステップＳ９０８において、プロセッサ２００は、ＰＣＩ衝突を通知するメッセージがサーバＳｅｒｖから受信されるか否かをチェックする。
【０２３１】
ＰＣＩ衝突を通知するメッセージがサーバＳｅｒｖから受信される場合、プロセッサ２００はステップＳ９０９に移る。その他の場合、プロセッサ２００はステップＳ９００に戻る。
【０２３２】
ステップＳ９０８において受信されるメッセージは、図６のステップＳ６０４において開示されるメッセージと同一である。
【０２３３】
次のステップＳ９０９において、ホーム基地局ＨＢＳ２のプロセッサ２００は、セル内のアイドルモードであるモバイル端末ＭＴおよび接続モードであるモバイル端末ＭＴの両方への、システム情報の更新が実行されることメッセージの転送を命令する。
通知は、例えば、アイドルモードにおいてモバイル端末ＭＴをページングすることにより、または接続モードにおいてモバイル端末によって常時監視される情報内に特定のタグを使用することにより、送信することができる。
【０２３４】
ホーム基地局ＨＢＳ１が、セル内のアイドルモードであるモバイル端末ＭＴおよび接続モードであるモバイル端末ＭＴの両方に、システム情報の更新が実行されることを通知することに留意する必要がある。
【０２３５】
次のステップＳ９１０において、プロセッサ２００は、モバイル端末ＭＴにシステム情報を転送するように、無線インタフェース２０５に命令する。被干渉側のホーム基地局ＨＢＳ１およびホーム基地局ＨＢＳ２は両方とも、同じ性能および同じリソースを使用して、同じシステム情報を同期して転送する。
【０２３６】
システム情報は、ステップＳ９０８において受信されるメッセージに含まれる情報に適合して更新される。システム情報は、少なくとも１つのタイミングオフセットと、タイミングオフセットが対応する１つまたは複数の一意のホーム基地局ＨＢＳ２のＩＤと、少なくとも１つのタイミングオフセットが適用される瞬間Ｔ０とを含むように添付される。
一変形形態では、Ｔ０はデフォルトの絶対値であるか、またはシステムで予め決定される相対値であることができ、その場合、この値を決定するかまたは送信する必要はない。
【０２３７】
２つの衝突しているホーム基地局ＨＢＳ１およびＨＢＳ２は、ステップＳ９０８において受信されるメッセージに含まれる情報に従って、共通ブロードキャストチャネル、システム情報および制御シグナリングを調整し送信することが可能である。
共通チャネルは、最大でも、衝突に関与する性能のより低いホーム基地局ＨＢＳの性能に対応してセットアップされる。したがって、モバイル端末ＭＴが接続される無線リンクを保存することができ、グローバル無線リンク故障が回避される。
例えば、ＬＴＥでは、マルチアンテナ送信が可能な場合、ＳＩＢを搬送するＰＢＣＨ、ＰＤＣＣＨおよびＰＤＳＣＨは、多くとも、２つの衝突しているホーム基地局ＨＢＳ１およびＨＢＳ２のうちの最小数のアンテナを有するＨＢＳの数のアンテナを使用して送信されなければならない。
【０２３８】
ステップＳ９１１において、プロセッサ２００は、時間Ｔ０においてタイミングオフセットを適用するように、無線インタフェース２０５に命令する。
【０２３９】
次のステップＳ９１２において、プロセッサ２００は、単一のセル送信に対応する新しいシステム情報を転送するように、無線インタフェース２０５に命令する。
【０２４０】
新しいシステム情報は、非調整送信、例えばステップＳ９０８の前に使用される送信等に対応する。システム情報の更新は一般に、セル内のアクティブモードまたはアイドルモードである全てのモバイル端末ＭＴに、ＳＩが変更されたことを通知し、次に、更新を効果的に適用することを含む。
【０２４１】
その後、プロセッサ２００はステップＳ９００に戻る。
【０２４２】
ここで、アドホックネットワークでは、ステップＳ９００〜Ｓ９０７のみが実行されることに留意する必要がある。サーバが存在し、ホーム基地局ＨＢＳが直接通信可能ではない階層ネットワークでは、ステップＳ９０８〜Ｓ９１２のみが実行される。
【０２４３】
図１０は、本発明による、サーバによって実行されるアルゴリズムの一例を開示する。
【０２４４】
より正確には、本アルゴリズムは、サーバＳｅｒｖのプロセッサ４００によって実行される。
【０２４５】
ステップＳ１０００において、プロセッサ４００は、ＰＣＩ衝突が検出されるか否かをチェックする。
【０２４６】
ＰＣＩ衝突は、例えば、
ＰＣＩ衝突が検出されることを通知する少なくとも１つのメッセージを基地局からサーバＳｅｒｖが受信するとき、または
同じＰＣＩを有するとともに同期されているホーム基地局ＨＢＳの位置情報を使用して、
検出される。
【０２４７】
ＰＣＩ衝突が検出される場合、プロセッサ４００はステップＳ１００１に移る。その他の場合、プロセッサ４００はステップＳ１０００に戻る。
【０２４８】
次のステップ１００１において、プロセッサ４００は、ＰＣＩ衝突に関与するホーム基地局ＨＢＳを識別する。
【０２４９】
例えば、プロセッサ４００は、位置情報を使用して、エリア内で同じＰＣＩを共有するホーム基地局を識別する。
【０２５０】
例えば、ＰＣＩ衝突を通知するとともに同じＰＣＩを含む２つのメッセージが、ステップＳ１０００において受信される場合、プロセッサ４００は、メッセージを送信した両方のホーム基地局を干渉していると識別する。
【０２５１】
次のステップＳ１００２において、プロセッサ４００は、ＰＣＩ衝突に関与するホーム基地局ＨＢＳの同期を脱するために、ＰＣＩ衝突に関与するホーム基地局ＨＢＳ間の少なくとも１つの非ヌルタイミングオフセットを決定する。
また、少なくとも１つのタイミングオフセットが適用される瞬間Ｔ０も決定される。
さらに、ＰＣＩ衝突に関与しているより性能が低いホーム基地局の、ホーム基地局ＨＢＳのアンテナ数のような性能および／またはＭＩＭＯ性能が特定されるとともに、最大でも、より低い性能のホーム基地局ＨＢＳの性能が選択される。
ＰＣＩ衝突に関与する２つのホーム基地局ＨＢＳがシステム情報の送信を調整できるようにする任意の他の情報も決定される。そのような情報は、例えば、システム情報それ自体に加えて、下りリンク共有チャネルに埋め込まれるシステム情報の部分をスケジューリングする制御シグナリング情報を含み得る。
【０２５２】
ＰＣＩ衝突に関与するホーム基地局ＨＢＳごとに１つずつ、２つの異なるタイミングオフセットを定義し得ることに留意する必要がある。
【０２５３】
次のステップ１００３において、プロセッサ４００は、ステップＳ１００２において決定されるパラメータを、ＰＣＩ衝突に関与するホーム基地局ＨＢＳに転送するように、ネットワークインタフェース４０６に命令する。
【０２５４】
図１１は、本発明を実現する第１および第２の形態による、モバイル端末によって実行されるアルゴリズムの一例を開示する。
【０２５５】
本アルゴリズムは、ホーム基地局ＨＢＳ１またはＨＢＳ２によってサービングされる少なくとも１つのモバイル端末ＭＴによって実行される。少なくとも１つのモバイル端末ＭＴは、例えば、サービングホーム基地局の要求時に、本アルゴリズムを実行する。
【０２５６】
より正確には、本アルゴリズムは、モバイル端末ＭＴのプロセッサ３００によって実行される。
【０２５７】
ステップＳ１１００において、プロセッサ３００は、無線インタフェース３０５を通してのパイロットおよびデータの受信を検出する。
【０２５８】
次のステップＳ１１０１において、プロセッサ３００は、データを復号化するように無線インタフェースに命令する。
【０２５９】
次のステップＳ１１０２において、プロセッサ３００は、例えば、巡回冗長検査を使用することにより、正確なデータ復号化が実行されるか否かをチェックする。
【０２６０】
データが正確に復号化される場合、プロセッサ３００はステップＳ１１０３に移る。その他の場合、プロセッサ３００はステップＳ１１０４に移る。
【０２６１】
ステップＳ１１０３において、プロセッサ３００は、データ部の推定干渉レベルＸｄを計算する。データ部の推定干渉レベルは、ノイズが多く、かつ／または干渉された受信データシンボルｙｄと、推定チャネルによる影響を受ける推定データシンボルとの二乗差の平均値を評価することによって実行される。
【０２６２】
この値Ｘｄは、いくつかの復号化フレームにわたる平均化によって計算し得る。
【０２６３】
正確に復号化された各フレームにおいて、データ部の推定干渉レベルを表す情報が記憶され、前に正確に復号化されたフレームに関する情報も考慮に入れることによって平均化が行われる。平均化は、多くの方法で、例えば、固定窓、スライド窓、加重平均化等を使用することによって行うことができる。
【０２６４】
代替的には、このステップにおいて、データ部で受ける干渉レベルを表す情報のみが記憶され、全ての平均化計算が、ステップＳ１１０６において転送される。
【０２６５】
その後、プロセッサ３００はステップＳ１１０４に移る。
【０２６６】
ステップＳ１１０４において、プロセッサ３００は、パイロットの推定干渉レベルＸｐを計算する。パイロットでの推定干渉レベルは、ノイズが多くかつ／または干渉された受信パイロットシンボルｙｐと、推定チャネルによる影響を受ける送信パイロットシンボルとの二乗差の平均値を評価することによって実行される。
【０２６７】
この値Ｘｐは、いくつかの復号化フレームにわたる平均化によって計算し得る。正確に復号化された各フレームにおいて、パイロット部で受ける干渉レベルを表す情報が記憶され、前に正確に復号化されたフレームに関する情報も考慮に入れることによって平均化が行われる。Ｘｐは、正確に復号化されたフレームおよび不正確に復号化されたフレームにわたる平均化によって計算することができる。
【０２６８】
代替的には、このステップにおいて、パイロット部で受ける干渉レベルを表す情報のみが記憶され、全ての平均化計算が、ステップＳ１１０６において転送される。
【０２６９】
実現の一変形形態では、プロセッサ３００は、データが正確に復号化されない場合、ステップＳ１１０２からステップＳ１１０４に移る代わりに、ステップＳ１１０２からＳ１１０５に移る。すなわち、正確に復号化されたフレームのパイロット部で受けた干渉レベルを表す情報のみが計算される。
平均化は、前に正確に復号化されたフレームのパイロット部で受ける干渉レベルを表す情報も考慮に入れることにより、行うことができる。
代替的には、このステップにおいて、正確な復号化の場合のみでパイロット部で受ける干渉レベルを表す情報のみが記憶され、全ての平均化計算は、ステップＳ１１０６において報告される。
【０２７０】
次のステップＳ１１０５において、プロセッサ３００は、平均化計算に十分なサンプルがとれたか否かをチェックする。
【０２７１】
平均化は、決定時間にペナルティを課さずに、十分に確実な統計を与えることが可能な時間／周波数期間にわたって行われる。これらの期間は、確実な統計を与えるのに十分に長い期間であるべきであり、例えば、少なくとも、チャネルのコヒーレント時間／コヒーレント帯域幅程度であるべきである。これらの期間は、チャネルの状況が変化しつつある場合、モバイル端末ＭＴからの高速反応を可能にするのに十分に短い期間であるべきである。
【０２７２】
コヒーレンスな時間／コヒーレンスな帯域幅は、小規模領域でのチャネルの時間／周波数が変化する性質を記述する統計学的測定値である。コヒーレンスな時間は、チャネルインパルス応答が基本的に不変である継続時間の統計学的測定値である。コヒーレンスな帯域幅は、２つの周波数成分が振幅相関の強い潜在性を有する周波数の範囲である。これらの測定値は、文献、例えば、Ｗｉｒｅｌｅｓｓ  ｃｏｍｍｕｎｉｃａｔｉｏｎｓ−Ｐｒｉｎｃｉｐｌｅｓ  ａｎｄ  ｐｒａｃｔｉｃｅという名称のＴｈｅｏｄｏｒｅ  Ｓ．Ｒａｐｐａｐｏｒｔの書籍において十分に説明されている。
【０２７３】
確実な平均化計算に十分なサンプルがとられた場合、プロセッサ３００はステップＳ１１０６に移る。その他の場合、プロセッサ３００はステップＳ１１００に戻る。
【０２７４】
次のステップＳ１１０６において、プロセッサ３００は、Ｘｄ、Ｘｐが前に計算されていない場合、Ｘｄ、Ｘｐを計算し、次に、正確な検出が達成される場合のデータ部での推定干渉レベルＸｄと、パイロット部での推定干渉レベルＸｐとの差Ｘｄ−Ｘｐを計算する。
【０２７５】
次のステップＳ１１０７において、プロセッサ３００は、計算された値Ｘｄ−Ｘｐが、所与の閾値Ｔｈｒｅｓよりも上か否かをチェックする。
【０２７６】
閾値Ｔｈｒｅｓは、例えば、シミュレーションまたは実験的な測地を通して決定される。例えば、閾値Ｔｈｒｅｓは、特定の目標外れ検出確率を有するように決定される。
【０２７７】
計算される値Ｘｄ−Ｘｐが、閾値Ｔｈｒｅｓよりも上である場合、プロセッサ３００はステップＳ１１０８に移る。その他の場合、プロセッサ３００はステップＳ１１００に戻る。
【０２７８】
次のステップＳ１１０８において、プロセッサ３００は、ＰＣＩ衝突が検出されることを通知するメッセージをモバイル端末ＭＴが接続されたホーム基地局ＨＢＳに転送するように、無線インタフェース３０５に命令する。
【０２７９】
その後、プロセッサ３００はステップＳ１１００に戻る。
【０２８０】
図１２は、モバイル端末がホーム基地局によってサービングされ、ＰＣＩ衝突回避手順が進行中である場合、本発明による、モバイル端末によって実行されるアルゴリズムの一例を開示する。
【０２８１】
より正確には、本アルゴリズムは、各モバイル端末のプロセッサ３００によって実行される。
【０２８２】
ステップＳ１２００において、プロセッサ３００は、無線インタフェース３０５を通してシステム情報更新通知が受信されるか否かをチェックする。システム情報の更新は、図５のステップＳ５０６またはＳ５１１において開示されるようなものである。
【０２８３】
モバイル端末ＭＴは、システム情報の更新を定期的について定期的に監視する。
【０２８４】
システム情報更新メッセージが受信される場合、プロセッサ３００はステップＳ１２０１に移り、更新されたシステム情報を受信する。
プロセッサ３００は、少なくとも１つのタイミングオフセットと、タイミングオフセットが対応する１つまたは複数の一意のホーム基地局ＨＢＳのＩＤと、少なくとも１つのタイミングオフセットを適用する瞬間Ｔ０とを受信する。
一変形形態では、Ｔ０はデフォルトの絶対値であるか、またはシステムで予め決定される相対値であり、モバイル端末ＭＴのメモリ３０３に記憶される。
【０２８５】
その他の場合、プロセッサ３００はステップ１２００に戻る。
【０２８６】
ステップＳ１２０２において、プロセッサ３００は、１つのタイミングオフセットがそのサービングホーム基地局を識別する情報と共に受信される場合、時間Ｔ０においてタイミングオフセットを適用するように、無線インタフェース３０５に命令する。
【０２８７】
複数のタイミングオフセットが受信される場合、プロセッサ３００は、受信される複数のタイミングオフセットのうちのどのタイミングオフセットが、サービングホーム基地局ＨＢＳに対応するかを識別する。
【０２８８】
図１３は、モバイル端末がホーム基地局によってサービングされていない場合、本発明による、モバイル端末によって実行されるアルゴリズムの一例を開示する。
【０２８９】
本アルゴリズムは、無線リンク故障が生じると、モバイル端末ＭＴによって実行される。
【０２９０】
より正確には、本アルゴリズムは、モバイル端末ＭＴのプロセッサ３００によって実行される。
【０２９１】
ステップＳ１３００において、プロセッサ３００は、モバイル端末をホーム基地局ＨＢＳに同期させるように、無線インタフェースに命令する。
【０２９２】
次のステップＳ１３０１において、プロセッサ３００は、モバイル端末ＭＴが同期されるホーム基地局ＨＢＳのＰＣＩが、無線リンク故障が生じる前にモバイル端末ＭＴにサービングしていたホーム基地局ＨＢＳのＰＣＩと同一であるか否かをチェックする。
【０２９３】
ＰＣＩが異なる場合、プロセッサ３００は本アルゴリズムを中断する。その他の場合、プロセッサ３００はステップＳ１３０２に移る。
【０２９４】
ステップＳ１３０２において、プロセッサ３００は、モバイル端末ＭＴが同期されるホーム基地局ＨＢＳにより転送されるシステム情報を読み取ることができるか否かをチェックする。
【０２９５】
システム情報を読み取ることができる場合、プロセッサ３００はステップＳ１３０３に移り、システム情報を読み取る。その他の場合、プロセッサ３００はステップＳ１３０６に移る。
【０２９６】
ステップＳ１３０６において、プロセッサ３００は、無線リンク故障前に知られており、古くなっている可能性がある前のシステム情報に基づいて、ランダムアクセス要求をランダムアクセスチャネル（ＲＡＣＨ）で、無線インタフェース３０５を通して転送することを命令する。
【０２９７】
例えば、ランダムアクセス要求は、ＰＣＩ衝突を示す特定のビットを含むか、またはＰＣＩ衝突の発生に固有のプリアンブルを有する一時的な識別子を含む。
プリアンブルは、サービングホーム基地局ＨＢＳによりシステム情報においてシグナリングしてもよく、無線セルラ通信ネットワークにおいて予め定義してもよく、または無線リソース制御（ＲＲＣ）を通してモバイル端末ＭＴに転送してもよい。
【０２９８】
特定の特徴によれば、ＰＣＩ衝突シグナリング専用のＲＡＣＨリソースは、全てのホーム基地局ＨＢＳで、時間／周波数／符号領域の特定の位置で、上りリンクチャネルにおいて確保することができる。
したがって、サービングホーム基地局にＰＣＩ衝突を通知しようとするモバイル端末ＭＴによって送信されるランダムアクセス要求は、同期されるとともに干渉する可能性がある近傍の任意のホーム基地局ＨＢＳによって読み取ることができる。ランダムアクセス要求は、無線リンク故障前にモバイル端末ＭＴにサービングしていたホーム基地局のＰＣＩを含むとともに、場合によってはその一意の識別子を含み、それにより、ＰＣＩ衝突イベントに関与していることを干渉側のホーム基地局が検出できるようにする。
【０２９９】
その後、プロセッサ３００はステップＳ１３００に戻る。
【０３００】
ステップＳ１３０４において、プロセッサ３００は、少なくとも１つのタイミングオフセットが、無線インタフェース３０５を通して受信されるか否かをチェックする。
【０３０１】
少なくとも１つのタイミングオフセットが、無線インタフェース３０５を通して受信される場合、プロセッサ３００はステップＳ１３０５に移る。その他の場合、プロセッサ３００は本アルゴリズムを中断する。
【０３０２】
ステップＳ１３０５において、プロセッサ３００は、無線リンク故障前にモバイル端末ＭＴにサービングしていたホーム基地局ＨＢＳを識別する情報と共に１つのタイミングオフセットが受信される場合、時間Ｔ０においてタイミングオフセットを適用するように、無線インタフェース３０５に命令する。
【０３０３】
複数のタイミングオフセットが受信される場合、プロセッサ３００は、受信される複数のタイミングオフセットのうちのどのタイミングオフセットが、無線リンク故障前にモバイル端末ＭＴにサービングしていたホーム基地局ＨＢＳに対応するかを識別する。
【０３０４】
当然ながら、本発明の範囲から逸脱せずに、多くの変更を上述した本発明の実施形態に行うことができる。
【図１】
0006259442.tif 000002
【図２】
0006259442.tif 000003
【図３】
0006259442.tif 000004
【図４】
0006259442.tif 000005
【図５】
0006259442.tif 000006
【図６】
0006259442.tif 000007
【図７】
0006259442.tif 000008
【図８】
0006259442.tif 000009
【図９】
0006259442.tif 000010
【図１０】
0006259442.tif 000011
【図１１】
0006259442.tif 000012
【図１２】
0006259442.tif 000013
【図１３】
0006259442.tif 000014